【手続補正書】
【提出日】平成20年6月24日(2008.6.24)
【手続補正１】
【補正対象書類名】特許請求の範囲
【補正対象項目名】全文
【補正方法】変更
【補正の内容】
【特許請求の範囲】
【請求項１】
アルデヒド性ムスク芳香族化学品と実質的に不揮発性の無臭アミンとのシッフ塩基を含む化合物であって、前記シッフ塩基のイミン部分がカルボキシル基または前記化合物の混合物への酸化に対して安定であり、前記シッフ塩基化合物が経時的に前記アルデヒド性ムスクと前記不揮発性の無臭アミンとに生分解性である化合物。
【請求項２】
前記アルデヒド性ムスクが
(i)下記の構造：
【化１】
2008504402.tif 000001
[式中、
Ｒは直鎖または分枝状鎖の、飽和または不飽和のヒドロカルビル基であり、好ましくは１乃至８の炭素原子を有するアルキルまたはアルケニルであり、
ｘは１乃至５である]
を有するベンゼン性ムスク、または
(ii)下記のいずれかの構造：
【化２】
2008504402.tif 000002
[式中、
Ｒ１及びＲ２は同一または相違して良く、
Ｒは直鎖または分枝状鎖の、飽和または不飽和のヒドロカルビル基であり、好ましくは１乃至８の炭素原子を有するアルキルまたはアルケニルであり、
ｍは１乃至４であり、ｎは１乃至６である]
を有する多環式ムスクである、請求項１の化合物。
【請求項３】
前記アミンが、少なくとも１つの遊離の未変性第一級及び／または第二級アミノを含む、無臭であり低蒸気圧の脂肪族または芳香族のアミンである、請求項１の化合物。
【請求項４】
前記アミンが、アミノベンゼンスルホン酸またはアントラニル酸である、請求項３の化合物。
【請求項５】
前記アルデヒド性ムスクが、２，４−ジ−ｔｅｒｔ−ブチル−５−メトキシベンズアルデヒドである、請求項１の化合物。
【請求項６】
前記アルデヒド性ムスクが、下記のいずれかの式：
【化３】
2008504402.tif 000003
2008504402.tif 000004
を有する、請求項１の化合物。
【請求項７】
活性成分として、請求項１乃至６のいずれか一項の化合物または前記化合物の混合物を含有する、改良された芳香、香りまたは臭気の放出特性を有する組成物、製品、調製物、または物品。
【請求項８】
前記化合物またはその混合物が、少なくとも３０重量％、または少なくとも６０重量％の量で存在する、請求項７の組成物、製品、調製物、または物品。
【請求項９】
香水、香料、もしくはコロン、石鹸、バスもしくはシャワーゲル、シャンプーもしくは別のヘアケア製品、化粧品調製物、ボディ用着臭剤、脱臭剤、もしくは制汗剤、芳香剤、液体もしくは固体の織物洗浄剤もしくは柔軟剤、漂白製品、殺菌剤、または家庭用もしくは工業用の万能洗浄剤の形態であって、任意に別の香水成分、溶媒、または当分野において現在使用されているアジュバントを含む、請求項７の組成物、製品、調製物、または物品。
【請求項１０】
前記化合物またはその混合物が、別の洗浄剤成分、溶媒、またはアジュバントとの混合物である、請求項９の洗浄剤組成物、製品、調製物、または物品。
【請求項１１】
前記化合物またはその混合物が、別の漂白成分、溶媒、またはアジュバントとの混合物である、請求項９の漂白組成物、製品、調製物、または物品。
【請求項１２】
前記化合物またはその混合物が、別の殺菌剤成分、溶媒、またはアジュバントとの混合物である、請求項９の殺菌剤組成物、製品、調製物、または物品。
【請求項１３】
活性成分として、請求項１乃至６のいずれか一項の化合物またはその混合物を含有する、改良された風味または味特性を有する組成物、製品、調製物、または物品。
【請求項１４】
飲料の形態であって、任意に別の飲料成分、溶媒、またはアジュバントとの混合物である、請求項１３の飲料組成物、製品、調製物、または物品。
【請求項１５】
風味剤の形態であって、任意に別の風味成分、溶媒、またはアジュバントとの混合物である、請求項１３の風味組成物、製品、調製物、または物品。
【請求項１６】
食品の形態であって、任意に別の食品成分、溶媒、またはアジュバントとの混合物である、請求項１３の食品組成物、製品、調製物、または物品。
【請求項１７】
チューインガムの形態であって、任意に別のチューインガム成分、溶媒、またはアジュバントとの混合物である、請求項１３のチューインガム組成物、製品、調製物、または物品。
【請求項１８】
薬剤の形態であって、任意に別の薬剤成分、溶媒、またはアジュバントとの混合物である、請求項１３の薬剤組成物、製品、調製物、または物品。
【請求項１９】
経口送達可能なマトリックス材料の形態であって、任意に別のマトリックス材料成分、溶媒、またはアジュバントとの混合物である、請求項１３の組成物、製品、調製物、または物品。
【請求項２０】
請求項１乃至６のいずれか一項の化合物またはその混合物の風味有効量を添加することを含む、組成物、製品、調製物、または物品の、味または風味特性を付与、改良、増進、または変性する方法。
【請求項２１】
前記組成物、製品、調製物、または物品が、飲料、風味剤、食品、チューインガム、薬剤、または経口送達可能なマトリックスの形態である、組成物２０の方法。
【請求項２２】
請求項１乃至６のいずれか一項の化合物またはその混合物の芳香、香料、もしくは臭気有効量を添加することを含む、組成物、製品、調製物、または物品の、芳香、香料、もしくは臭気特性を付与、改良、増進、または変性する方法。
【請求項２３】
前記組成物、製品、調製物、または物品が、香水、ボディ用臭気剤、消臭剤、もしくは制汗剤、洗浄剤、漂白製品、または殺菌剤の形態である、請求項２２の方法。
【請求項２４】
実装材料及び前記実装材料内に含まれる芳香、臭気、香料、味、もしくは風味を増進させる作用剤を含む製造品であって、前記作用剤が、これを添加しようとする組成物、調製物、製品、または物品の芳香、臭気、香料、味、もしくは風味の増進に有効であり、前記実装材料が、前記作用剤が芳香、臭気、香料、味、もしくは風味の増進に利用可能であることを示すラベルを含み、且つ前記作用剤が、請求項１乃至６のいずれか一項の化合物またはその混合物である、製造品。
【請求項２５】
アルデヒド性ムスク芳香族化合物を、そのアルデヒド基のカルボキシル基への酸化に対して安定化する方法であって、実質的に不揮発性且つ無臭のアミンを用いてそのシッフ塩基を形成し、これによて前記アルデヒド基をイミン部分に変換する工程を含む方法。
【請求項２６】
前記アルデヒド性ムスクが、
（ｉ）下記の構造：
【化４】
2008504402.tif 000005
[式中、
Ｒは直鎖または分枝状鎖の、飽和または不飽和のヒドロカルビル基であり、好ましくは１乃至８の炭素原子を有するアルキルまたはアルケニルであり、
ｘは１乃至５である]
を有するベンゼン性ムスク、または
(ii)下記のいずれかの構造：
【化５】
2008504402.tif 000006
[式中、
Ｒ１及びＲ２は同一または相違して良く、
Ｒは直鎖または分枝状鎖の、飽和または不飽和のヒドロカルビル基であり、好ましくは１乃至８の炭素原子を有するアルキルまたはアルケニルであり、
ｍは１乃至４であり、ｎは１乃至６である]
を有する、多環式ムスク
である、請求項２５の方法。
が、
【請求項２７】
前記アルデヒド性ムスクが、多環式ムスク、または２，４−ジ−ｔｅｒｔ−ブチル−５−メトキシベンズアルデヒドである、請求項２５の方法。
【請求項２８】
前記アミンが、少なくとも１つの遊離の未変性第一級及び／または第二級アミノを含む、無臭であり低蒸気圧の脂肪族または芳香族のアミンである、請求項２５の方法。
【請求項２９】
前記アミンが、アミノベンゼンスルホン酸またはアントラニル酸である、請求項２８の方法。
【請求項３０】
前記アルデヒド性ムスクが、下記のいずれかの式：
【化６】
2008504402.tif 000007
を有する、請求項２５の方法。
【請求項３１】
２，４−ジ−ｔｅｒｔ−ブチル−５−メトキシベンズアルデヒド以外の、ベンゼン性もしくは多環式のアルデヒド性ムスク芳香族化合物。
【請求項３２】
下記の式：
【化７】
2008504402.tif 000008
[式中、
Ｒは直鎖または分枝状鎖の、飽和または不飽和のヒドロカルビル基であり、好ましくは１乃至８の炭素原子を有するアルキルまたはアルケニルであり、
ｘは１乃至５である]
を有する、請求項３１のベンゼン性アルデヒド性ムスク芳香族化合物または、
下記のいずれかの式：
【化８】
2008504402.tif 000009
[式中、
Ｒ１及びＲ２は同一または相違して良く、
Ｒは直鎖または分枝状鎖の、飽和または不飽和のヒドロカルビル基であり、好ましくは１乃至８の炭素原子を有するアルキルまたはアルケニルであり、
ｍは１乃至４であり、ｎは１乃至６である]
を有する、請求項３１の多環式アルデヒド性ムスク。
【請求項３３】
下記のいずれかの式：
【化９】
2008504402.tif 000010
を有する、請求項３１のベンゼン性または多環式アルデヒド性ムスク芳香族化合物。